(57)【特許請求の範囲】
【請求項１】
指向性を切替えることができるスマートアンテナと、指向性が固定された単指向性アンテナとを接続可能な放送受信装置において、
前記スマートアンテナは、ＥＩＡ／ＣＥＡ−９０９規格により送信される信号のみを受信し、信号を返信することができない構成であって、
前記スマートアンテナにおけるチャンネルサーチを実行する第一チャンネルサーチ部と、
前記単指向性アンテナにおけるチャンネルサーチを実行する第二チャンネルサーチ部と、
接続したスマートアンテナに電源及び制御信号を送信する通信部と、
前記通信部が前記スマートアンテナと接続したことにより生じる電圧降下によって同通信部における前記スマートアンテナへ制御信号を送信する配線の電圧値の変化を検出し、この検出された電圧をアナログ／デジタル変換してアンテナ接続信号を出力する接続検出部と、
前記接続検出部から出力されるアンテナ接続信号を所定の閾値と比較し、前記アンテナ接続信号が前記閾値以下である場合は前記第一チャンネルサーチ部を選択して、この第一チャンネルサーチ部にチャンネルサーチを実行させるとともに、前記接続検出部から出力されるアンテナ接続信号が前記閾値以上である場合は、前記第二チャンネルサーチ部を選択して、この第二のチャンネルサーチ部にチャンネルサーチを実行させる制御部とを有することを特徴とする放送受信装置。
【発明の詳細な説明】
【技術分野】
【０００１】
本発明は、スマートアンテナを接続可能な放送受信装置において、特に、アンテナの接続の有無を検出するものである。
【背景技術】
【０００２】
指向性の方位を切替えて、異なる方角から送信される放送電波を受信することができるスマートアンテナが知られている。スマートアンテナは、複数のアンテナ素子を制御して各方位における受信感度を調整する。そのため、指向性が固定された単指向性アンテナとチャンネルサーチの方法が異なる。ここで、チャンネルサーチとは、アンテナが受信可能なチャンネルを選局する処理をいう。そのため、スマートアンテナと単指向性アンテナとを接続可能な受像機では、接続したアンテナをユーザに判別させるとともに、判別結果に基づいて受像機側でチャンネルサーチを自動で処理している。
【０００３】
その一例として、画面上にアンテナの種類を選択させるメニュー画面を表示させ、ユーザがこのメニュー画面上でアンテナの種類を指定することで、受像機側は、チャンネルの設定方法を選択する。このような、ユーザの指示に基づくチャンネルサーチ方法は、操作を行なうユーザが接続されたアンテナの種類を認識している必要がある。
【０００４】
チャンネルサーチを自動で設定する方法としては、スマートアンテナが指向性の方位を切換えることで変化する受信強度を利用して、接続されたアンテナに対応したチャンネルサーチを切換える技術が開示されている（例えば、特許文献１、２参照。）。
【０００５】
また、自動でチャンネルサーチを行うものではないが、車載機器に接続されたアンテナの種別を、アンテナ抵抗に印加される電圧値によって判別する技術が開示されている。（例えば、特許文献３参照。）。
【０００６】
そして、自動でチャンネルサーチを行うものではないが、車載機器に接続されたアンテナの種別を、この車載機器のアンプに流れる制御信号を監視することによって判別する技術が開示されている（例えば、特許文献４参照。）。
【０００７】
さらに、テレビジョン放送を受信するに際し、異なるアンテナの接続を切換えるアンテナ切換スイッチを操作することで、テレビジョン放送信号を受信させるアンテナを切換える技術が開示されている。
【特許文献１】特開２００６−２５１９９号公報
【特許文献２】特開２００６−１５７３３８号公報
【特許文献３】特開２００６−１８６９６７号公報
【特許文献４】特開２００５−３５４２５３号公報
【特許文献５】特開２００６−１５７３４０号公報
【発明の開示】
【発明が解決しようとする課題】
【０００８】
上述した特許文献１及び２の技術は、次のような課題があった。つまり、受信強度に応じてスマートアンテナの接続の有無を判別する手法は、スマートアンテナを一度駆動させて、全方向の受信強度を検出する必要が生じる。そのため、単指向性アンテナを接続している場合は、前記したスマートアンテナにおけるチャンネルサーチ処理は意味がなく、この処理に掛かる時間が無駄となる。
【０００９】
また、特許文献３及び４の技術は、自動でチャンネルサーチを行うための技術ではないため、本件に適応させることは難しい。
【００１０】
そして、特許文献５の技術は、アンテナ切換スイッチをユーザに操作させて、切換を行うものであるため、自動でチャンネルサーチを行うものではない。
【００１１】
本発明は、上記課題にかんがみてなされたもので、接続されたアンテナが多指向性アンテナであるか又は単指向性アンテナであるかを自動で検出し、検出結果に基づいて自動でチャンネルサーチを実行する放送受信装置の提供を目的とする。
【課題を解決するための手段】
【００１２】
本発明の或る局面として、指向性を切替えることができるスマートアンテナと、指向性が固定された単指向性アンテナとを接続可能な放送受信装置において、前記スマートアンテナにおけるチャンネルサーチを実行する第一チャンネルサーチ部と、前記単指向性アンテナにおけるチャンネルサーチを実行する第二チャンネルサーチ部と、接続したスマートアンテナに電源及び制御信号を送信する通信部と、前記通信部が前記スマートアンテナと接続したことにより生じる電圧降下によって変化する、該通信部の電圧値を検出し、この検出結果に基づいて前記スマートアンテナの接続の有無を検出する接続検出部と、前記接続検出部が前記スマートアンテナの接続を検出した場合は、前記第一チャンネルサーチ部を選択して、この第一チャンネルサーチ部にチャンネルサーチを実行させるとともに、前記スマートアンテナの接続を検出しない場合は、前記第二チャンネルサーチ部を選択して、この第二のチャンネルサーチ部にチャンネルサーチを実行させる制御部を有する。
【００１３】
上記のように構成した発明では、本放送受信装置は、指向性を切替えることができるスマートアンテナと、指向性が固定された単指向性アンテナとを接続可能である。このような放送受信装置において、第一チャンネルサーチ設定部は、前記スマートアンテナにおけるチャンネルサーチを実行する。また、第二チャンネルサーチ部は、前記単指向性アンテナにおけるチャンネルサーチを実行する。そして、通信部は、接続したスマートアンテナに電源及び制御信号を送信する。さらに、接続検出部は、前記通信部が前記スマートアンテナと接続したことにより生じる電圧降下によって変化する、該通信部の電圧値を検出し、この検出結果に基づいて前記スマートアンテナの接続の有無を検出する。さらに、制御部は、前記接続検出部が前記スマートアンテナの接続を検出した場合は、前記第一チャンネルサーチ部を選択して、この第一チャンネルサーチ部にチャンネルサーチを実行させるとともに、前記スマートアンテナの接続を検出しない場合は、前記第二チャンネルサーチ部を選択して、この第二のチャンネルサーチ部にチャンネルサーチを実行させる。
【００１４】
そのため、通信部の電圧値を検出して接続されたアンテナの種別を検出するため、アンテナを駆動させることなく接続されたアンテナの種別に応じたチャンネルサーチを実行することができ、スマートアンテナを接続しない場合の、チャンネルサーチの処理速度を短縮することができる。
【００１５】
好ましくは、前記接続検出部は、前記通信部から前記スマートアンテナへ電源電圧を供給する配線の電圧値の変化を検出する。
上記のように構成された発明では、電源電圧を供給する配線の電圧値を測定するため、この電圧値を検出してアンテナの種別を簡単に検出することができる。
【００１６】
本発明の他の局面として、前記接続検出部は、前記通信部から前記スマートアンテナへ制御信号を送信する配線の電圧値の変化を検出する。
上記のように構成した発明では、制御信号を送信する配線の電圧値を検出するため、この電圧値を検出してアンテナの種別を簡単に検出することができる。
【００１７】
好ましくは、前記スマートアンテナは、ＥＩＡ／ＣＥＡ−９０９規格により、前記通信部から送信される信号のみを受信し、本放送受信装置に信号を返信しない構成である。
上記のように構成した発明では、信号の通信が一方向である制御方法においても、アンテナの接続の有無を検出することができる。
【００１８】
また、本発明の他の局面として、前記スマートアンテナは、ＥＩＡ／ＣＥＡ−９０９規格により、前記通信部から送信される信号のみを受信し、本放送受信装置に信号を返信しない構成とされ、前記通信部は、ＥＩＡ／ＣＥＡ−９０９規格により、前記スマートアンテナに電源電圧と制御信号とを送信するためのインタフェースであって、前記接続検出部は、前記通信部から前記スマートアンテナへ電源電圧を供給する配線の電圧値の変化を検出し、検出した電圧値が所定のしきい値より小さい場合は、前記スマートアンテナが接続していると判断し、検出した電圧値が前記しきい値より大きい場合は、前記スマートアンテナが接続していると判断する。
【発明の効果】
【００１９】
以上説明したように本発明によれば、アンテナを駆動させることなく接続されたアンテナの種別に応じたチャンネルサーチを実行することができ、スマートアンテナを接続しない場合の、チャンネルサーチの処理速度を短縮することができる。
そして本発明によれば、制御信号を送信する配線の電圧値を検出するため、この電圧値を検出してアンテナの種別を簡単に検出することができる。
さらに本発明によれば、信号の通信が一方向である制御方法においても、アンテナの接続の有無を検出することができる。
【発明を実施するための最良の形態】
【００２０】
以下、下記の順序に従って本発明の実施形態を説明する。なお、図中、同一または相当部分については、同一符号を付してその説明は繰返さない。
１．第一の実施形態：
１．１．放送受信装置の構成：
１．２．スマートアンテナの構成：
１．３．ＳＴＢの構成：
１．４．チャンネルサーチ方法：
２．第二の実施形態：
３．変形例：
【００２１】
１．第一の実施形態 
１．１．放送受信装置の構成：
図１は、本発明における放送受信装置を説明するブロック図である。本発明に係る放送受信装置１０は、指向性の方向を変化させることができるスマートアンテナ１００や、指向性が固定された単指向性アンテナである八木アンテナ（図示しない）と接続することができる。ここで、スマートアンテナ１００は、方角の異なる放送局から送信された放送信号を、アンテナ本体の指向性の方向を切替えることにより最適に受信するものである。
【００２２】
本放送受信装置１０は、セットトップボックス２００（以下、Set Top Box：STB）と、表示装置２１と、リモコン装置３０とから構成されており、スマートアンテナ１００または、八木アンテナのどちらかと接続可能である。
【００２３】
放送受信装置１０はスマートアンテナ１００、又は八木アンテナのいずれかから送信された放送信号をＳＴＢ２００で受信し、この放送信号から映像信号と音声信号とを生成して、表示装置２１に出力する。表示装置２１は受信した映像信号を基にモニタで映像を表示し、音声信号を基にスピーカから音声を出力する。なお、表示装置２１は、映像と音声とを出力するものであればよく、液晶表示装置や、プラズマディスプレイ装置である。
【００２４】
また、ＳＴＢ２００による選局処理及び、選局したチャンネルをリモコン装置３０及び操作パネル４０のチャンネル番号に割り当てる処理、いわゆるチャンネルサーチを行なう場合は、本放送受信装置１０は接続されたアンテナの種別に応じたチャンネルサーチを実行する。具体的には、八木アンテナの場合、チャンネルごとに割り当てられた帯域の受信設定と、受信したチャンネルを操作キーへ割り当てる処理を行なう。また、スマートアンテナ１００の場合、上記した処理の他に、チャンネルに応じた指向性の向きを設定する処理も必要となる。そのため、本放送受信装置１０では、各チャンネルサーチにおけるパラメータを記憶したチャンネルマップ（後述）をアンテナごとに保持しており、接続されたアンテナの種別に応じてチャンネルマップを参照し、アンテナごとのチャンネルサーチを実行する。
【００２５】
１．２．スマートアンテナの構成：
スマートアンテナ１００は、ＳＴＢ２００から送信される制御信号に基づいて、指向性の向きを切替える。スマートアンテナ１００は、放送電波を受信するアンテナ素子１１０〜１４０と、このアンテナ素子１１０〜１４０の駆動を制御する指向性制御部１５０とを有している。本実施の形態におけるスマートアンテナ１００は、４本のアンテナ素子１１０〜１４０を放射状に配列しており、指向性制御部１５０は、アンテナ素子１１０〜１４０が検出する電界強度を変更することにより、スマートアンテナ１００における指向性が高くなる方位を１６通りに変更させることができる。
【００２６】
図２は、スマートアンテナ１００の指向性を説明する図である。図に示すようにスマートアンテナ１００は、指向性を１６方向に切換えることができる。また、アンテナ素子１１０〜１４０は、ＳＴＢ２００のチューナ（後述）と接続しており、受信した放送電波をＲＦケーブル１７０からＳＴＢ２００へ送信する。
【００２７】
指向性制御部１５０は、アンテナ素子１１０〜１４０を制御して、スマートアンテナ１００における指向性を図２で説明する１６方向に変化させる。指向性制御部１５０は、ＣＰＵ（Central Processing Unit）や、ＲＯＭ（Read Only Memory）や、ＲＡＭ（Random  Access Memory）を備えており、ＳＴＢ２００から指向性を制御するためのアンテナ制御信号を受信すると、このアンテナ制御信号に基づいて、アンテナ素子１１０〜１４０の指向性を制御する。ここで、アンテナ制御信号は、例えばＥＩＡ／ＣＥＡ−９０９規格に準じて、アンテナ素子１１０〜１４０の指向性を変更させる信号である。
【００２８】
接続インタフェース１６０は、ＳＴＢ２００からアンテナ素子１１０〜１４０を制御するアンテナ制御信号と、スマートアンテナを駆動するための電源電圧とを受信する。なお、接続インタフェース１６０は、アンテナ接続信号を配線１６１を通して受信し、電源電圧を配線１６２を通して受信する。受信したアンテナ制御信号及び、電源電圧とは、指向性制御部１５０に送信される。一例として、接続インタフェース１６０から指向性制御部１５０に供給される電源電圧の値は、１２ボルト、１５０ｍＡである。
【００２９】
１．３．ＳＴＢの構成：
ＳＴＢ２００は、スマートアンテナ１００が受信した放送信号から映像信号と音声信号とを生成する。また、リモコン装置３０等を用いた選局操作により、スマートアンテナ１００の指向性を選局されたチャンネルに応じて切換える。ＳＴＢ２００は、接続インタフェース２０１（通信部）と、チューナ２０２と、フロントエンド２０３と、デコーダ２０４と、バッファメモリ２０５と、ＯＳＤ回路２０６と、電源回路２０７と、リモコン受信部２０８と、補助記憶装置２０９と、制御部２１０と、検出抵抗２３０（接続検出部）とを有する構成である。検出抵抗２３０以外の各部は、外部バス２２０を用いて接続されており、この外部バス２２０を用いて通信を実行する。
【００３０】
接続インタフェース２０１は、ＥＩＡ／ＣＥＡ−９０９規格に準じて、スマートアンテナ１００にアンテナ制御信号と、電源電圧とを供給する。なお、接続インタフェース２０１は、信号を送信する端子としてのジャックを備えており、スマートアンテナ１００の接続インタフェース１６０と配線１６１，１６２を用いて接続している。
【００３１】
チューナ２０２は、受信した放送信号から選局されたチャンネル（例えば仮想チャンネル）を検波する。チューナ２０２は、スマートアンテナ１００と接続している。チューナ２０２は制御部２１０からの命令に従って、ＲＦケーブル１７０を通じてスマートアンテナ１００から送信された放送信号の中から一のチャンネル(ユーザによって選局されたチャンネル)に対応する放送信号を検波してフロントエンド２０３に出力する。
【００３２】
フロントエンド２０３は、制御部２１０から入力される命令に従って、チューナ２０２から送信された放送信号を中間周波信号に変換して、デコーダ２０４に出力する。
【００３３】
デコーダ２０４は制御部２１０からの命令に従って、フロントエンド２０３から出力された放送信号に対して所定のファイル形式(例えば、Motion Picture Experts Group-2：MPEG-2）に応じた処理を施し、当該放送信号を音声信号と映像信号とに分離してデコードする。そして、デコードした映像信号をバッファメモリ２０５に出力する。このときデコードされた映像信号には、チェックコードが付与されている場合があり、このチェックコードを用いて映像信号のエラーレートの検出と、エラーの修整が実行される。なお、音声信号はそのまま表示装置２１に出力される。
【００３４】
バッファメモリ２０５は、デコーダ２０４によりデコードされた映像信号を表示装置２１に出力する際の一時的な記憶場所として機能する。バッファメモリは所定記憶容量を備えた半導体メモリであり、このバッファメモリ２０５から記憶された映像信号は順次、表示装置２１に出力される。
【００３５】
ＯＳＤ回路２０６は、例えば、制御部２１０からの命令に従って、バッファメモリ２０５に記憶された映像信号に対して所定のＯＳＤ(On Screen Display）画像を重畳する。このＯＳＤ画像は、例えば、メニュー画面を構成する文字列や、画像、及び音声データの集合である。ユーザは、画面上で表示された項目をリモコン装置３０等で選択することで、本放送受信装置１０に対して各種機能を要求することができる。
【００３６】
リモコン受信部２０８は、リモコン装置３０から送信された各種制御コマンドを受信し、当該コマンドに基づく制御信号を制御部２１０に送信する。
【００３７】
電源回路２０７は、ＳＴＢ２００及びスマートアンテナ１００に電源電圧を供給するためのものである。電源回路２０７は商用電源から供給された交流電圧を整流して、生成した直流電圧をＳＴＢ２００及びスマートアンテナ１００に供給する。また、電源回路２０７は接続インタフェース２０１と接続しており、直流電圧を配線１６１を通してスマートアンテナ１００に供給する。
【００３８】
検出抵抗２３０は、スマートアンテナ１００の接続の有無を電圧値により検出するものである。検出抵抗２３０は、配線１６１と並列に接続し、抵抗としての機能を備える抵抗部２３１を有している。そのため、スマートアンテナ１００をＳＴＢ２００に接続させた状態で、電源回路２０７から配線１６１に電源電圧が流れると、抵抗部２３１に起電力を生じさせる。
【００３９】
補助記憶装置２０９は、選局の際、参照されるデータであるチャンネルマップを記憶する。補助記憶装置２０９は、八木アンテナ用のチャンネルマップ３０１と、スマートアンテナ１００用のチャンネルマップ３０２と、を記憶している。チャンネルマップ３０１，３０２は、このチャンネルマップに登録されているデータに基づいて、受信可能な全チャンネルの登録を行うためのものである。
【００４０】
図３は、一例としてのチャンネルマップを説明する図である。チャンネルマップ３０１，３０２には、物理チャンネル番号、及び仮想チャンネル番号を記憶する領域と、ディジタル放送又はアナログ放送のどちらであるかを検出する領域と、スクランブル処理の有無を記憶する領域とを有している。また、スマートアンテナ１００用のチャンネルマップ３０２（図３（ｂ））には、物理チャンネル番号に応じたスマートアンテナ１００の指向性の方向と物理チャンネルに対応付けて記憶している。チャンネルマップ３０１，３０２に記憶される情報は、例えば、放送受信装置１０の初期設定処理において予め記憶されている。
【００４１】
制御部２１０は、ＣＰＵ２１１と、ＲＯＭ２１２と、ＲＡＭ２１３と、タイマー２１４とから構成されている。ＣＰＵ２１１は、ＲＯＭ２１２に記憶された各種処理プログラムに従って、各種の処理を実行する。ＲＯＭ２１２は、ＣＰＵ２１１によって実行される処理プログラムなどを展開するためのプログラム格納領域や、入カデータや上記処理プログラムが実行されるごとに生じる処理結果などを格納するデータ格納領城などを備えている。ＲＡＭ２１３は、ＲＯＭ２１２に記憶されたデータ及びプログラムのロード先である。また、タイマー２１４は、ＣＰＵ２１１に時計機能を与えるものである。
【００４２】
ＣＰＵ２１１は、ＲＯＭ２１２に記憶された各種プログラムに従ってデータの演算を行い、外部バス２２０を通じて各部に演算結果を出力する。また、ＣＰＵ２１１は、アナログ信号を受信可能なアナログ／ディジタル変換ポート（以後、Ａ／Ｄポートと記載）２１１ａを有している。このＡ／Ｄ変換ポート２１１ａは、抵抗部２３１と電源回路２０７との間の配線における電圧の入力を受け付ける。なお、Ａ／Ｄ変換ポート２１１ａは、ＣＵＰ２１１内部でアナログ／ディジタル変換回路２１１ｂ（以後、Ａ／Ｄ変換回路）と接続しており、Ａ／Ｄ変換ポート２１１ａから入力されたアナログ信号を２値化されたディジタル信号に変換する。ＣＰＵ２１１内部で変換された当該ディジタル信号は、アンテナ接続信号として使用される。
【００４３】
スマートアンテナ１００がＳＴＢ２００の接続インタフェース２０１と接続している場合、検出抵抗２３０の抵抗部２３１に起電力が発生する。そのため、検出抵抗２３０における、抵抗部２３１と、電源回路２０７とを繋ぐ配線における電圧値が電圧降下によって低下する。そのため、Ａ／Ｄ変換回路２１１ｂは、ローレベルのアンテナ接続信号を出力する。逆に、スマートアンテナ１００がＳＴＢ２００の接続インタフェース２０１と接続していない場合は、Ａ／Ｄ変換回路２１１ｂは、ハイレベルのアンテナ接続信号を出力する。
【００４４】
ＲＯＭ２１２は、ＳＴＢ２００で実行可能なシステムプログラム、当該システムプログラムで実行可能な各種処理プログラム、これら各種処理プログラムを実行する際に使用されるデータ、ＣＰＵ２１１によって演算処理された各種結果のデータなどを記憶している。なお、プログラムはコンピュータが読み取り可能なプログラムコードの形でＲＯＭ２１２に記憶されている。具体的には、ＲＯＭ２１２は、メインプログラム３００、チャンネルサーチプログラム４００を記憶している。
【００４５】
メインプログラム３００は、放送受信装置１０における各種機能の制御をＣＰＵ２１１に実現させるプログラムである。ＣＰＵ２１１がメインプログラム３００を用いて制御可能な機能は、例えば、テレビジョン放送を受信する機能、チャンネルを切替える機能、チャンネルサーチを実行する時刻を制御するための機能である。
【００４６】
チャンネルサーチプログラム４００は、ＣＰＵ２１１に選局可能な放送帯域を検索させるとともに、リモコン装置３０や操作パネル４０における各チャンネルキーやアップダウンキーに対して選局可能なチャンネルを割り当てる機能を実現させるプログラムである。このチャンネルサーチプログラム４００は、例えば、チャンネルサーチを開始する時刻になると、ＣＰＵ２１１が実行する。
【００４７】
チャンネルサーチを実行するに際し、ＳＴＢ２００にスマートアンテナ１００が接続されている場合は、ＣＰＵ２１１は、チャンネルマップ３０２に記憶されたチャンネルごとに、スマートアンテナ１００を定義された１６方向すべてに制御し、放送が受信できるかを判断する。これにより、いかなる方向から送信される放送波についても、放送受信装置１０において良好な状態で受信することができる。なお、ＳＴＢ２００に八木アンテナ３０が接続されている場合は、上記したチャンネルサーチは実行されない。
【００４８】
１．４．チャンネルサーチ方法：
以下に、放送受信装置１０の電源がＯＮされた際にＣＰＵ２１１が実行する処理について、図を用いて説明する。なお、以下の記載では、ＳＴＢ２００にスマートアンテナ１００が接続されているものとして説明を行う。
【００４９】
放送受信装置１０の電源がＯＮされると、ＲＡＭ２１３にメインプログラム３００が展開される。まず、ＣＰＵ２１１は、タイマー２１４を用いて、チャンネルサーチを行う時刻であるか計時する。計時された時刻がチャンネルサーチを行う時刻であれば、ＣＰＵ２１１は接続インタフェース２０１に対して、チャンネルサーチを実行するためのチャンネルサーチ開始信号を出力する。また、ＣＰＵ２１１はチャンネルサーチプログラム４００をＲＡＭ２１３にロードする。なお、計時された時刻がチャンネルサーチを行う時刻でない場合は、ＣＰＵ２１１は時刻になるまで待機する。
【００５０】
図４は、チャンネルサーチプログラム４００に基づいてＣＰＵ２１１が実行する処理を示すフローチャートである。ＣＰＵ２１１は、アンテナ接続信号の値を検出する（ステップＳ４１０）。前述したように、アンテナ接続信号はＡ／Ｄ変換ポート２１１ａを介して入力された検出抵抗と電源回路２０７との間の電圧値をディジタル信号に変換したものである。
【００５１】
ＣＰＵ２１１は、検出したアンテナ接続信号の値を判別する（ステップＳ４２０）。具体的には、アンテナ接続信号の値を所定のしきい値と比較して、信号の電圧レベルを検出する。このとき、アンテナ接続信号がハイレベルでない場合は、ＣＰＵ２１１はスマートアンテナ１００がＳＴＢ２００の接続インタフェース２０１と接続していると判別し、ステップＳ４３０に進む。
【００５２】
ステップＳ４３０では、ＣＰＵ２１１は補助記憶装置２０９に記憶されたチャンネルマップ３０２を参照する。チャンネルマップ３０２には、前述したようにスマートアンテナ１００に対してチャンネルサーチを実行するための各種データが記憶されている。また、アンテナ接続信号がローレベルである場合は、八木アンテナが接続されていると判断し、ステップＳ４６０に進む。
【００５３】
ステップＳ４４０で、ＣＰＵ２１１は、まず、特定の物理チャンネルを選択する。次に、スマートアンテナ１００における指向性の方位を、図２で説明した「１」に設定するよう、アンテナ制御信号を出力する。ＣＰＵ２１１は、スマートアンテナ１００の指向性の方位を、図２で説明した１〜１６までの方位に切り替え、方位ごとの受信強度を測定する。ここで、受信強度の測定方法としては、受信電波の強度を測定するものであってもよいし、方位ごとに検出した電波をデコーダ２０４でデコードした後のエラーレートの値を測定してもよい。
【００５４】
ステップＳ４５０で、ＣＰＵ２１１は、チャンネルマップ３０２における指向性の方位が記憶された領域を更新する。ここで、更新される値は、ＣＰＵ２１１が検出した受信強度の内、もっとも高い受信強度が測定された指向性の方位である。上述した、処理は、チャンネルマップ３０２に記憶された全ての物理チャンネルに対して実行される。また、このときＣＰＵ２１１は、チャンネルマップ３０２に記憶された他のデータの値も更新する。ＣＰＵ２１１におけるこのステップにより第一チャンネルサーチ部の機能を実現する。
【００５５】
なお、ステップＳ４６０〜Ｓ４７０での八木アンテナのチャンネルサーチは、周知の技術であるため、説明を省略する。なお、ＣＰＵ２１１におけるこのステップにより第二チャンネルサーチ部の機能を実現する。
【００５６】
上述した一連のステップにより、本放送受信装置１０では、ＳＴＢ２００に接続されたアンテナがスマートアンテナ１００であるか、八木アンテナであるかを判別し、接続されたアンテナに応じた個別のチャンネルサーチを実行する。そのため、ユーザが、接続されたチャンネルの種類を認識していない場合でも、ＳＴＢ１００側が自動で接続されたアンテナに対応するチャンネルサーチを実施することができる。八木アンテナのような単指向性アンテナでは、スマートアンテナ１００のように、チャンネルサーチごとに指向性の方位を切換える必要がないため、八木アンテナが接続されている場合は、処理時間を短縮させることが可能となる。
【００５７】
２．第二の実施の形態：
上記した第一の実施例では、スマートアンテナ１００に電源電圧を供給する配線の電圧値の変化を検出することで、スマートアンテナ１００の接続の有無を検出した。しかしながら、接続インタフェース２０１からスマートアンテナ１００へアンテナ制御信号を送信する配線の電圧値を検出するものであってもよい。
【００５８】
図５は、第二の実施の形態における電圧検出を説明する図である。同図より、接続インタフェース２０１は、制御部２１０からの命令を受けてスマートアンテナ１００へアンテナ制御信号を供給するＩＣ２０１ａと、ＩＣ２０１ａから出力される信号を変換する信号増幅回路２０１ｂとを有する構成である。なお、ＣＰＵ２１１のＡ／Ｄ変換ポート２１１ａは、信号増幅回路２０１ｂの出力端と接続インタフェース２０１における出力端子２０１ｃとの間で接続している。また、接続インタフェース２０１は、前述したように接続インタフェース１６０でスマートアンテナ１００と接続可能である。
【００５９】
信号増幅回路２０１ｂは、低電力消費型であるＩＣの３．３ボルト出力を５ボルトに変換するためのものである。信号増幅回路２０１ｂは、５ボルトの電圧値を有する定電圧源ＶｃｃとトランジスタＱとを有し、ＩＣ２０１ａから出力された３．３ボルトの信号によりトランジスタＱのベースにベース電流が流れると、当該トランジスタＱがオンし、コレクタに接続された定電圧源Ｖｃｃから５ボルトの電圧が印加される。印加される５ボルトの信号は、アンテナ制御信号として、スマートアンテナ１００へ送信される。なお、本放送受信装置１０において、チャンネルサーチが行われる際は、ＣＰＵ２１１は、いずれのアンテナが接続されているか判別できていないため、まず、接続インタフェース２０１に対して、チャンネルサーチを実行する信号を出力するものとする。
【００６０】
上記構成により、接続インタフェース２０１がスマートアンテナ１００と接続していない場合、まず、ＩＣから３．３ボルトの信号が出力された状態では、信号増幅回路２０１ｂの出力端子と接続インタフェース２０１の出力端子２０１ｃとの間の電圧値は５ボルトであり、ＣＰＵ２１１のＡ／Ｄ変換回路２１１ｂはアナログの５ボルト電圧をハイレベルのアンテナ接続信号に変換する。
【００６１】
接続インタフェース２０１がスマートアンテナ１００と接続している場合は、以下の通りである。なお、スマートアンテナ１００における接続インタフェース１６０における合成抵抗をＲａとしている。スマートアンテナ１００を接続インタフェース１６０及び２０１を通じて接続した場合、接続インタフェース１６０における合成抵抗Ｒａが、接続インタフェース２０１の出力端子２０１ｃに直列接続されるため、合成抵抗Ｒａに流れる電流による電圧降下によってＡ／Ｄ変換ポート２１１ａに入力される電圧値は低下する。そのため、Ａ／Ｄ変換回路２１１ｂが変換するディジタル信号はローレベルとなる。
【００６２】
上記したＡ／Ｄ変換ポート２１１ａに入力される信号を図４で説明したステップＳ４１０における検出処理に使用することで、制御部２１０でのスマートアンテナ１００の接続の有無を検出することができる。
【００６３】
３．変形例：
本放送受信装置は様々な変形例が存在する。
例えば、チャンネルサーチの際、最初のチャンネルに対しては、スマートアンテナ用のスキャンを実行し、このチャンネルに対してアンテナ素子１１０〜１４０の指向性を変化させることで、発見されたチャンネルに対して指向性を変換させて受信強度の変化を検出するものであってもよい。なお、このとき、電界強度を検出する手法としては、受信した電波におけるＳ／Ｎ（Signal-to-noise ratio）であってもよいし、デコーダ２０４がデコードした映像信号におけるエラーレートであってもよい。
【００６４】
つまり、アンテナ素子１１０〜１４０の指向性を変化するアンテナ制御信号を出力し、電波を受信することで、受信電波のＳ／Ｎ比及びエラーレートが変化した場合は、当然、電波の受信状況が最適となるよう指向性が変化したと判断することができる。そのため、ＳＴＢ２００に接続されたアンテナはスマートアンテナであると判断することができる。
【００６５】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００６６】
【図１】本発明における放送受信装置を説明するブロック図である。
【図２】スマートアンテナ１００の指向性を説明する図である。
【図３】一例としてのチャンネルマップを説明する図である。
【図４】チャンネルサーチプログラム４００に基づいてＣＰＵ２１１が実行する処理を示すフローチャートである。
【図５】第二の実施の形態における電圧検出を説明する図である。
【符号の説明】
【００６７】
１０…放送受信装置、２１…表示装置、３０…リモコン装置、４０…操作パネル、１００…スマートアンテナ、１１０〜１４０…アンテナ素子、１５０…指向性制御部、１６０…接続インタフェース、１６１，１６２…配線、１７０…ＲＦケーブル、２００…セットトップボックス（ＳＴＢ）、２０１…接続インタフェース、２０１ｂ…信号増幅回路、２０１ｃ…出力端子、２０２…チューナ、２０３…フロントエンド、２０４…デコーダ、２０５…バッファメモリ、２０６…ＯＳＤ回路、２０７…電源回路、２０８…リモコン受信部、２０９…補助記憶装置、２１０…制御部、２１１…ＣＰＵ、２１１ａ…Ａ／Ｄ変換ポート、２１１ｂ…Ａ／Ｄ変換回路、２１２…ＲＯＭ、２１３…ＲＡＭ、２１４…タイマー、２２０…外部バス、２３０…検出抵抗、２３１…抵抗部、３００…メインプログラム、３０１，３０２…チャンネルマップ、４００…チャンネルサーチプログラム
【図１】
0004552988.tif 000002
【図２】
0004552988.tif 000003
【図３】
0004552988.tif 000004
【図４】
0004552988.tif 000005
【図５】
0004552988.tif 000006